(57)【要約】      （修正有）【課題】足腰の弱い高齢者又は病弱者が入浴するに際して、着座、起立の一連の運動を行い易くした椅子を提供すること。【解決手段】平面形状として丸形形状を採用するもので、椅子本体１は頭頂部に座面２を有する円筒状で、脚部３が形成されている。この椅子本体１の高さ(H)は、座面２の直径(d)１〜１．５の範囲に成形され、座面２は上方に緩やかに膨出した凸面（凸レンズ状）に形成されている。直径(d)２５ｃｍ、高さ(H)は３０ｃｍで、さらに、椅子の中央部が、周縁部より１〜１．５ｃｍ高くなるように曲面に成形される。【選択図】図１
0003102792.tif 000002
【実用新案登録請求の範囲】
【請求項１】
入浴用椅子であって、椅子の座面を膨出形状にしたことを特徴とする入浴用椅子。
【請求項２】
請求項１記載の入浴用椅子において、座面の平面における最大寸法の１〜１．５倍の高さを有することを特徴とする入浴用椅子。
【考案の詳細な説明】
【技術分野】
【０００１】
本考案は、入浴時に使用する椅子、特に、高齢化社会を迎えて足腰の弱い高齢者又は病弱者に好適な入浴用椅子に関するものである。
【背景技術】
【０００２】
一日の疲れを癒し、心身をリフレッシュさせるとともに、身体の清浄化を目的として入浴する習慣がある。浴室の洗い場で使用される椅子類は、木製や樹脂製で多種多様のものが実用に供されている。
【０００３】
而して、これらの入浴時に使用される椅子、例えば、自宅の浴室、銭湯の入浴場、温泉の入浴場などにおいて、種々のものが使用されているが、その殆どの椅子は、大人用あるいは子供用としての区別なく、またその高さは、概ね２０ｃｍから２５ｃｍで、例えば、一例を示すと座面の平面形状として小判型の入浴用椅子にあっては、長軸２５ｃｍ、短軸１９ｃｍの寸法を有するもので、その高さは短軸にほぼ類似する２０ｃｍもので、このように従来の入浴用椅子にあっては高いものであっても３０ｃｍ程度に止まっている。また、椅子の座面は、平坦な形状、あるいは、僅かに凹型形状を呈し、さらに、椅子の上面には水はけを良くするために、その中央部に５〜６ｃｍの水抜き穴が形成されている。
【０００４】
これら一般の椅子を用いて入浴をする場合、健常者では何ら問題を生じることはないが、高齢化社会を迎えて足腰の弱い高齢者又は病弱者が入浴するに際して、従前の入浴用椅子は極めて低いものであり、従来の入浴用椅子を用いる場合にあっては、屈曲姿勢を深く取る必要があることから、足腰の弱い人間にとっては、着座動作を取るときに安定性を欠いて座りづらく、甚だしい場合にあっては後方へ転倒する危険性を持ち、また、立ち上がる時には、足腰に負担を掛けないように浴槽の縁、手摺り等を捕まえて自己の体重を支えることが必要となる。甚だしい場合には、介助を必要とする等、かかることを原因として、血液の循環を活発にし、新陳代謝を促進する意味で必要不可欠な入浴を厭うようになる。
【０００５】
また、中央に水抜き穴が空いている場合、筋肉が脆化した者にあっては、水抜き穴を穿設している周縁は面取り加工が施されているものの、この穴に臀部の筋肉が食い込んで、痛みを生じることを経験するところである。
【考案の開示】
【考案が解決しようとする課題】
【０００６】
本考案は前述の諸点に鑑みなされたもので、足腰の弱い高齢者又は病弱者が入浴するに際して、着座、起立の一連の運動を行い易くした椅子を提供することである。
【課題を解決するための手段】
【０００７】
前述の課題を解決するための本考案にかかる入浴用椅子の構成は、入浴用椅子としての平面における最大寸法の１〜１．５倍の高さとするとともに、椅子の座面を膨出形状にした点に存するものである。
【０００８】
加えて、本考案における入浴用椅子の構成は、入浴用椅子としての座面の平面における最大寸法の１〜１．５倍の高さを具備せしめた点に存するものである。
【考案の効果】
【０００９】
本考案の入浴用椅子を用いることで、座面を膨出形状とすることによって、従来の入浴用椅子に見られるような水抜きのための穴を形成する必要が無くし、これによって臀部の筋肉が食込むことなく、痛みを感じることが無くなる。起立−着座に伴う一連の動作における体を動かす距離が少なくなることから、例えば、体の重心移動のみで起立できることとなり、動作が鈍い高齢者又は足腰の弱い病弱者に対する足腰に与える影響が少なく、座り易く立ちやすい入浴用椅子を提供することができる。
【００１０】
また、本考案の入浴用椅子にあっては、起立−着座に伴う一連の動作における体を動かす距離が少なくなることから、例えば、体の重心移動のみで起立できることとなり、動作が鈍い高齢者又は足腰の弱い病弱者に対する足腰に与える影響が少なく、座り易く立ちやすい入浴用椅子を提供することができる。
【００１１】
このように本考案の入浴用椅子を用いることで、入浴時の高齢者又は足腰の弱い病弱者が、楽しく、無駄な神経を使わず、場合によっては、介護者による介助を必要とせずに、自らの意志で行動に移せる利点を有する。
【考案を実施するための最良の形態】
【００１２】
本考案に係る入浴用椅子にあっては、入浴時に使用する高齢者又は足腰の弱い病弱者が起立−着座に伴う一連の動作を行いやすくするための入浴用椅子における高さとの関係を種々考察してなされたもので、一般的な入浴用椅子としては種々の平面形状のものが提供され、また、その寸法にあっては、入浴用椅子は浴室あるいは浴場内における取り扱いを考慮して、平面における最大寸法は概ね３０ｃｍ程度であり、また、その高さにおいても高いもので平面における最大寸法と同等の３０ｃｍ程度のものであるが、本考案における入浴用椅子として具備する高さとして、座面の平面形状における最大寸法の１〜１．５倍の高さを具備せしめるものである。
【００１３】
ここに言う平面における最大寸法とは、座面の平面形状が矩形あるいは小判型の場合には長辺寸法を、楕円形にあっては長軸寸法を、ハート型のような変形形状にあっては長軸側の寸法を意味するもので、その高さを座面の平面における最大寸法の１．１倍とするのは、これ以下の高さでは着座時において立膝姿勢となり、着座動作あるいは起立動作に不安定さをもたらし、また、１．５以上になると椅子としてのバランスが悪く不安定となり、また使用者にあっても前傾姿勢の状態となり、着座時に不安感を与えることから好ましいものではなく、従って、１．５以下とするものである。
【００１４】
また、同時に着座面についても水抜き穴を設けず、円弧、楕円、放物線、双曲線、螺旋曲線、クロソイド曲線等の曲線の一部、あるいは、これら曲線の組合わされた曲線により、上方に緩やかに突出する凸面形状（凸曲面）とすることにより、座面における早期の水はけを行なわせしめることで、凸面形状としては急峻な曲面を要するものではなく、座面上にある水の排出が行い得る程度の緩やかなものでよく、座面を曲面にすることで早期の水はけを行い得ることから水抜き穴を設ける必要が無いことから、水抜き穴に臀部の筋肉が食い込むことによる痛感を回避し、さらには、入浴用椅子から滑り落ちることを防止できる。
【実施例】
【００１５】
図１は、本考案に係る入浴用椅子の第１の実施例を示すもので、平面形状として丸形形状を採用するもので、椅子本体１は頭頂部に座面２を有する円筒状で、脚部３が形成されている。この椅子本体１の高さ（H）は、座面２の直径（D）の１〜１．５の範囲に成形され、座面２は上方に緩やかに膨出した凸面（凸レンズ状）に形成されている。この実施例に基づく入浴用椅子における具体的形状は、直径（D）２５ｃｍ、高さ（H）は３０ｃｍで、さらに、椅子の中央部が、周縁部より１〜１．５ｃｍ高くなるように曲面に成形される。
【００１６】
図２は、本考案に係る入浴用椅子の第２の実施例を示すもので、座面６平面形状として長辺寸法L1と短辺寸法L2を有する矩形形状を採用するもので、椅子本体５は矩形の座面６を４本の脚部７で支持するように構成されている。この椅子本体５の高さ（H）は、入浴用椅子としての平面における最大寸法、即ち、矩形形状における長辺側寸法L1の１〜１．５の範囲に成形され、また、座面６は前述の実施例と同様に上方に緩やかに膨出した凸面に形成されている。この実施例に基づく入浴用椅子における具体的形状は、長辺寸法L1＝３０ｃｍ、短辺寸法L2＝２５ｃｍ、高さ（H）＝３３ｃｍ、さらに、椅子の中央部が、周縁部より１．５ｃｍ高くなるように曲面に成形される。
【００１７】
図３は、本考案に係る入浴用椅子の第３の実施例を示すもので、座面の平面形状として長軸寸法L３と短軸寸法L４を有する不定形形状であるハート型を採用するもので、椅子本体１０は頭頂部の座面１１を４本の脚部１２で支持する構成が採用されている。この椅子本体１０の高さ（H）は、長軸寸法L３に対して１〜１．５倍の範囲に成形され、また、座面２は上方に緩やかに膨出した凸面に形成されている。この実施例に基づく入浴用椅子における具体的形状は、ハート型座面における長軸側寸法L1＝３０ｃｍ、短軸側寸法L2＝２５ｃｍ、高さ（H）＝３５ｃｍ、さらに、椅子の中央部が、周縁部より１．５ｃｍ高くなるように曲面に成形される。
【図面の簡単な説明】
【００１８】
【図１】本考案に係る入浴用椅子の第１の実施例を示すもので、（ａ）は平面図、（ｂ）は側面図
【図２】本考案に係る入浴用椅子の第２の実施例を示すもので、（ａ）は平面図、（ｂ）は側面図
【図３】本考案に係る入浴用椅子の第３の実施例を示すもので、（ａ）は平面図、（ｂ）は側面図
【符号の説明】
【００１９】
１、５，１０：椅子本体
２，６，１１：座面
３，７，１２：脚部
H：高さ
【図１】
0003102792.tif 000003
【図２】
0003102792.tif 000004
【図３】
0003102792.tif 000005